(57)【特許請求の範囲】
【請求項１】
フェースプレートに開閉自在な電池カバーを設けた耳あな型補聴器において、前記フェースプレートの前記電池カバーが設置される開口部の周囲に流入防止壁部を形成し、前記電池カバーが閉じたときに、マイクロホンの集音口に通じるチャンバが形成され、前記フェースプレートと前記電池カバーの対向するコーナ部に所定容積の空間が形成されることを特徴とする耳あな型補聴器。
【請求項２】
フェースプレートに開閉自在な電池カバーを設けた耳あな型補聴器において、前記電池カバーには開閉用の爪部が設けられ、前記フェースプレートの前記電池カバーが設置される開口部の両側と前記爪部側の周囲に流入防止壁部を形成し、前記電池カバーが閉じたときに、マイクロホンの集音口に通じるチャンバが形成され、前記フェースプレートと前記電池カバーの対向するコーナ部に所定容積の空間が形成されることを特徴とする耳あな型補聴器。
【発明の詳細な説明】
【技術分野】
【０００１】
本発明は、フェースプレートに開閉自在な電池カバーを設けた耳あな型補聴器に関する。
【背景技術】
【０００２】
従来、フェースプレートに開閉自在な電池カバーを設けた耳あな型補聴器では、電池カバーの表面とフェースプレートの表面で同一面が形成されている。また、電池カバーの開閉を円滑にするため、特許文献１に記載のように、電池カバーに摘み部を設けるタイプや特許文献２に記載のように、電池カバーに爪部を設けるタイプが知られている。更に、特許文献２に記載の電池カバーには、マイクロホンの集音口が設けてある。
【先行技術文献】
【特許文献】
【０００３】
【特許文献１】特開平０８−０８４３９９号公報
【特許文献２】特開２０１０−１３５９５３号公報
【発明の概要】
【発明が解決しようとする課題】
【０００４】
しかし、特許文献１，２に記載の耳あな型補聴器においては、電池カバーの表面とフェースプレートの表面が同一面を形成しているため、水や汗がフェースプレートの表面に付着すると、電池カバーとフェースプレートの隙間から流れ込み内部に浸入し易い。また、電池カバーに爪部を設けるタイプでは、装用者が電池カバーを開くときに、指先に付着しているゴミや垢などが補聴器本体内に入り易い。
【０００５】
また、特許文献２に記載の耳あな型補聴器においては、マイクロホンの集音口を設けた電池カバーの表面とフェースプレートの表面が同一面を形成しているため、水や汗がフェースプレートの表面に付着すると、この水や汗がマイクロホンの集音口まで流れて、この集音口から侵入する場合がある。更に、装用者が電池カバーを開けるため、電池カバーの爪部に指先を掛けた際に、指先がマイクロホンの集音口に触れ、ゴミや垢などが指先に付着しているとこの集音口に付着し、詰まる場合がある。
【０００６】
本発明は、従来の技術が有するこのような問題点に鑑みてなされたものであり、その目的とするところは、フェースプレートの表面に付着している水や汗が電池カバーとフェースプレートの隙間から補聴器本体内に浸入し難くすると共に、電池カバーの開閉に際して、装用者の指先に付着しているゴミや垢などが補聴器本体内に入り難くする耳あな型補聴器を提供しようとするものである。
【課題を解決するための手段】
【０００７】
上記課題を解決すべく請求項１に係る発明は、フェースプレートに開閉自在な電池カバーを設けた耳あな型補聴器において、前記フェースプレートの前記電池カバーが設置される開口部の周囲に流入防止壁部を形成し、前記電池カバーが閉じたときに、マイクロホンの集音口に通じるチャンバが形成され、前記フェースプレートと前記電池カバーの対向するコーナ部に所定容積の空間が形成されるものである。
【０００８】
また、請求項２に係る発明は、フェースプレートに開閉自在な電池カバーを設けた耳あな型補聴器において、前記電池カバーには開閉用の爪部が設けられ、前記フェースプレートの前記電池カバーが設置される開口部の両側と前記爪部側の周囲に流入防止壁部を形成し、前記電池カバーが閉じたときに、マイクロホンの集音口に通じるチャンバが形成され、前記フェースプレートと前記電池カバーの対向するコーナ部に所定容積の空間が形成されるものである。
【発明の効果】
【００１０】
請求項１に係る発明によれば、フェースプレートの表面に水や汗が付着しても、フェースプレートの電池カバーが設置される開口部の周囲に流入防止壁部が設けられているので、その水や汗が電池カバーとフェースプレートの隙間から流れ込み補聴器本体内に浸入し難くい。
【００１１】
請求項２に係る発明によれば、フェースプレートの表面に水や汗が付着しても、前記フェースプレートの電池カバーが設置される開口部の両側と爪部の周囲に流入防止壁部が設けられているので、その水や汗が電池カバーとフェースプレートの隙間から補聴器本体内に浸入し難くい。また、装用者が爪部に指先を掛けて電池カバーを開くときに、指先にゴミや垢などが付着していても、そのゴミや垢などが流入防止壁部により、補聴器本体内に入り難くい。
【００１２】
請求項１又は請求項２に係る発明によれば、フェースプレートの表面に水や汗が付着しても、電池カバーの周囲に流入防止壁部が設けられているので、その水や汗がマイクロホンの集音口から浸入し難い。また、装用者が電池ホルダのカバーを開けるために、電池カバー爪部に指先を掛けた際に、指先にゴミや垢などが付着していても、そのゴミや垢などが流入防止壁部で防ぐことができるので、集音口や着座部に形成された２つの孔などに付着し難くい。更に、フェースプレートと電池カバーの対向するコーナ部に所定容積の空間を形成したので、隙間に水や汗が付着したとしても、毛細管現象により、この空間やチャンバに入り難くい。
【図面の簡単な説明】
【００１３】
【図１】本発明に係る耳あな型補聴器の斜視図で、（ａ）は電池カバーが閉状態の場合、（ｂ）は電池カバーが開状態の場合
【図２】耳あな型補聴器の平面図
【図３】寸法説明図
【図４】作用説明図
【図５】図２のＡ−Ａ線断面の要部拡大図
【図６】図２のＢ−Ｂ線断面の要部拡大図
【発明を実施するための形態】
【００１４】
以下に本発明の実施の形態を添付図面に基づいて説明する。本発明に係る耳あな型補聴器１は、図１と図２に示すように、フェースプレート２と本体ケース３からなる。フェースプレート２には、音を電気信号に変換するマイクロホン、電源となる電池を収納する電池収納部などが設けられている。本体ケース３には、マイクロホンから出力される電気信号を装用者の聴力に適合するように処理する補聴処理部、補聴処理部で処理された電気信号を音に変換するイヤホンなどが設けられている。
【００１５】
また、フェースプレート２には、開閉自在な電池カバー４が設けられている。電池カバー４には、電池カバー４を指先で開けるために、指先を掛ける爪部５が設けられている。なお、爪部５の代わりに指先で摘む摘み部（特許文献１参照）を設けることもできる。電池を交換する場合には、爪部５に指先を掛けて電池カバー４を開け、電池収納部の電池を新たな電池に交換した後に、爪部５の背部分や電池カバー４自体を押して閉める。
【００１６】
また、爪部５の下側の電池カバー４には、マイクロホンの集音口６が設けられている。そして、フェースプレート２には、電池カバー４が合わさる着座部７が設けられ、この着座部７にはマイクロホンの集音口６と対向してマイクロホンに通じる孔８が２つ形成されている。更に、フェースプレート２の表面２ａには、電池カバー４が設置される開口部の周囲に流入防止壁部９が設けられている。
【００１７】
図３に示すように、流入防止壁部９の高さＨは、フェースプレート２の表面２ａに付着した水や汗が流入防止壁部９を乗り越えて、フェースプレート２と電池カバー４の隙間１０に浸入しない程度で、不自然に突出することなく見栄えが悪くない高さである。また、流入防止壁部９の幅Ｗは、強度不足にならず、不自然に幅広ではなく見栄えが悪くない幅である。
【００１８】
望ましくは、高さＨは０．３ｍｍから０．９ｍｍの範囲（０．３ｍｍ≦Ｈ≦０．９ｍｍ）であり、幅Ｗは０．２ｍｍから０．７ｍｍの範囲（０．２ｍｍ≦Ｗ≦０．７ｍｍ）である。このような範囲であれば、見栄えを気にすることなく、フェースプレート２の表面２ａに付着した水や汗がフェースプレート２と電池カバー４の隙間１０に入り難くなる。
【００１９】
このように、電池カバー４が設置される開口部の周囲に流入防止壁部９を設けたことにより、フェースプレート２の表面２ａに水や汗が付着しても、その水や汗が電池カバー４とフェースプレート２の隙間１０から補聴器本体内に浸入し難くい。更に、図４に示すように、装用者が指先１１を爪部５に掛けて電池カバー４を開く動作において、先ず指先１１が流入防止壁部９に触れてから爪部５に掛かるので、装用者の指先１１に付着しているゴミや垢などが流入防止壁部９によって、本体ケース３内に入り難くなる。
【００２０】
流入防止壁部９と爪部５の位置関係については、装用者が電池カバー４を開くとき、自然に、装用者の指先１１が流入防止壁部９の外側に接してから爪部５に掛るようにすることが重要である。従って、図３に示すように、爪部５の先端５ａと流入防止壁部９の外側角部９ａとの位置関係は、爪部５の先端５ａと流入防止壁部９の外側角部９ａとの水平距離Ｘと爪部５の先端５ａと流入防止壁部９の外側角部９ａとの垂直距離Ｙにより決める。０．０ｍｍ≦Ｘ≦２．０ｍｍ、０．８ｍｍ≦Ｙ≦２．５ｍｍが望ましい。さらに、望ましくは、０．５ｍｍ≦Ｘ≦１．５ｍｍ、１．０ｍｍ≦Ｙ≦２．０ｍｍである。
【００２１】
なお、電池カバー４の回転軸側４ａに形成する流入防止壁部９については、上記寸法Ｈ，Ｗに限らず、他の流入防止壁部９を基にし、設計により所望の寸法Ｈ，Ｗで形成すればよい。ここでは、フェースプレート２の表面２ａから緩やかな傾斜で盛り上げて、電池カバー４の両側４ｂ，４ｃに形成された流入防止壁部９と滑らかにつながる形状としている。
【００２２】
また、電池カバー４にマイクロホンの集音口６を、フェースプレート２の着座部７に２つの孔８を設けているが、電池カバー４が設置される開口部の周囲に設けた流入防止壁部９により、フェースプレート２の表面２ａに水や汗が付着しても、その水や汗がマイクロホンの集音口６に浸入し難くい。また、電池カバー４を開くときに、装用者の指先１１がマイクロホンの集音口６付近に位置することになるが、指先１１にゴミや垢などが付着していても、流入防止壁部９で防ぐことができるので、そのゴミや垢などがマイクロホンの集音口６や着座部７に形成された２つの孔８などに付着し難くい。
【００２３】
更に、耳あな型補聴器１には、図５に示すように、電池カバー４の集音口６の裏面には所望の空間となる窪み部１２が形成されている。また、図１（ｂ）及び図６に示すように、電池カバー４を閉じた時に、電池カバー４の窪み部１２の周辺部分と合わさるフェースプレート２には着座部７が形成されており、電池カバー４の窪み部１２と着座部７が合わさることによりチャンバ１３が形成される。チャンバ１３が形成される着座部７には、マイクロホンに通じる孔８が集音口６と直線状につながらないように２つ形成されている。
【００２４】
そして、図５で示すように、電池カバー４を閉じた状態で、フェースプレート２の凹コーナ部２ｂと電池カバー４の面取りされた凸コーナ部４ｄにより対向するコーナ部に、フェースプレート２と電池カバー４の対向する面に形成される隙間１０とつながる所定容積の空間１４を設けている。
【００２５】
例えば、図６に示すように、隙間１０のＤ部に水や汗などの液体が付着した場合、先ず液体は隙間１０に流れ込みＥ部を通る。この際、毛細管現象により液体は電池カバー４とフェースプレート２の対向する隙間１０に周るので、空間１４であるＦ部に入り難くなる。更に、水や汗などの液体が空間１４であるＦ部に浸入したとしても、電池カバー４と着座部７の隙間であるＧ部が狭くなっているため、液体はチャンバ１３のＨ部に入り難くなる。
【産業上の利用可能性】
【００２６】
本発明によれば、フェースプレートの表面に水や汗が付着しても、電池カバーの周囲に流入防止壁部が設けられているので、その水や汗が電池カバーとフェースプレートの隙間から補聴器本体内に浸入し難くすると共に、電池カバーの開閉に際して、装用者の指先に付着しているゴミや垢などが補聴器本体内に入り難くする耳あな型補聴器を提供することができる。
【符号の説明】
【００２７】
１…耳あな型補聴器、２…フェースプレート、２ａ…表面、２ｂ…凹コーナ部、３…本体ケース、４…電池カバー、４ａ…回転軸側、４ｂ，４ｃ…両側、４ｄ…凸コーナ部、５…爪部、５ａ…先端、６…集音口、７…着座部、８…孔、９…流入防止壁部、９ａ…外側角部、１０…隙間、１１…指先、１２…窪み部、１３…チャンバ、１４…空間。
【図１】
0005165091.tif 000002
【図２】
0005165091.tif 000003
【図３】
0005165091.tif 000004
【図４】
0005165091.tif 000005
【図５】
0005165091.tif 000006
【図６】
0005165091.tif 000007